(57)【特許請求の範囲】
【請求項１】
間仕切壁を屋根、または上階の床に固定された上側壁部と、床に固定された下側壁部とに分割し、上側壁部と下側壁部の間に上下方向に相対変位可能なスライド機構を設けた間仕切り構造であって、前記スライド機構が、上側壁部の下端に固着された角パイプ状の第一滑り金物と、下側壁部の上端に固着され第一滑り金物に対して上下方向に相対変位可能に嵌合した溝状の第二滑り金物と、第一滑り金物の下面に固着された第一滑り金物よりも幅広の合成樹脂板とを備え、当該合成樹脂板の幅方向両端縁を第二滑り金物の内側面と摺接させるように構成されていることを特徴とする間仕切り構造。
【請求項２】
第二滑り金物が、断面Ｌ字状を呈する二つの金物を、それらの水平板部が互に重なり合う状態に連結して構成されていることを特徴とする請求項１に記載の間仕切り構造。
【請求項３】
スライド機構の上下にわたって可撓性を有する気密材が設けられていることを特徴とする請求項１又は２に記載の間仕切り構造。
【請求項４】
スライド機構の上下にわたって可撓性を有する耐火材が設けられていることを特徴とする請求項１又は２に記載の間仕切り構造。
【発明の詳細な説明】
【技術分野】
【０００１】
本発明は、間仕切壁を屋根、または上階の床に固定された上側壁部と、床に固定された下側壁部とに分割し、上側壁部と下側壁部の間に上下方向に相対変位可能なスライド機構を設けて、風圧、または上階の床振動による屋根、または上階の床の上下挙動に追随するようにした間仕切り構造に関する。
【背景技術】
【０００２】
従来、この種の間仕切り構造は、特許文献１に見られるように、上部ランナーの下面に水平方向の長孔が形成された多数のＴ字状金物を所定間隔おきに固定し、これらのＴ字状金物に合わせて、間仕切壁の上端面に上下方向の長孔が形成された多数の逆Ｔ字状金物を固定し、両金物の間にフッ素樹脂フィルムを挟んで、両金物をボルト・ナットで連結するように構成されていた。そして、風圧による屋根の上下挙動に追随して、間仕切壁と上部ランナーとが上下方向に相対変位するように構成されていた。
【０００３】
しかしながら、上記の間仕切り構造では、間仕切り構造を構築するにあたって、高所で多数の細かな部品を一定間隔で直線状に取り付ける作業が必要とされ、施工性が悪く、精度を確保することが難しかった。
【０００４】
そこで、本発明者らは、施工性の良い間仕切り構造として、図４に示すように、間仕切壁を屋根に固定された上側壁部１Ａと、床に固定された下側壁部１Ｂとに分割し、上側壁部１Ａと下側壁部１Ｂの間に上下方向に相対変位可能なスライド機構４を設けた間仕切り構造を開発した。そして、前記スライド機構４を、上側壁部１Ａの下端に固着された角パイプ状の第一滑り金物５と、下側壁部１Ｂの上端に固着され第一滑り金物５に対して上下方向に相対変位可能に嵌合した溝状の第二滑り金物６とで構成し、第一滑り金物５の両側面下部に、表面がフッ素樹脂加工された金属板からなるシート状滑り材７ａを貼着し、第一滑り金物５と第二滑り金物６の相対変位が円滑に行われるようにした。
【０００５】
上側壁部１Ａ及び下側壁部１Ｂは、夫々、水平なＣ形鋼９、１０と垂直な間柱用のＣ形鋼（図示せず）からなる軸組みと、その両面に貼着された壁パネル１１ａ、１１ｂ、１２ａ、１２ｂとで構成されている。１３は第一滑り金物５を上側壁部１Ａの下端に固定するためのボルト・ナットであり、第一滑り金物５の底板部に形成した貫通孔ａから回転操作される。第二滑り金物６は、断面Ｌ字状を呈する二つの金物６ａ、６ｂを、それらの水平板部が互に重なり合う状態に連結して構成されている。１４は上側に重なる水平板部に溶接又は接着されたナットであり、少なくとも片側の壁パネル１２ａ又は１２ｂの貼着に先立ってボルト１５をねじ込むように構成されている。
【０００６】
この間仕切り構造によれば、スライド機構４の位置が間仕切壁上端よりも上側壁部１Ａだけ低くなり、しかも、上側壁部１Ａの下端に角パイプ状の第一滑り金物５を固着し、下側壁部１Ｂの上端に溝状の第二滑り金物６を固着するので、第一滑り金物５や第二滑り金物６として、角パイプ、チャンネル材やアングル材等の１本の長尺物を、或いは、数メートル程度の定尺物を直線的に並べて使用でき、これらによって施工性が向上し、間仕切り構造を精度良く構築することが容易である。
【０００７】
しかし、第一滑り金物５の両側面下部にシート状滑り材７ａを貼着するので、接着剤の塗布作業やシート状滑り材７ａの貼付け作業を必要とする点において施工性に若干の難があった。また、シート状滑り材７ａが薄肉のため、第一滑り金物５と第二滑り金物６が直接接触して金属粉が発生することがあり、しかも、シート状滑り材７ａを接着剤で貼着す
るので、クリーンルームの間仕切り構造として実施した場合、施工完了後、時間の経過に伴い、接着剤の溶剤が乾燥気化して、室内の清浄空気を汚染する虞があり、改良の余地があった。
【先行技術文献】
【特許文献】
【０００８】
【特許文献１】特開２００１−４９７７４号公報
【発明の概要】
【発明が解決しようとする課題】
【０００９】
本発明は、上述した間仕切り構造を改良したものであって、シート状滑り材の貼着作業を無くすことにより、容易に構築でき、接着剤の溶剤による悪影響の虞もない間仕切り構造を提供することを目的としている。
【課題を解決するための手段】
【００１０】
上記の目的を達成するために、本発明が講じた技術手段は、次の通りである。即ち、請求項１に記載の発明は、間仕切壁を屋根、または上階の床に固定された上側壁部と、床に固定された下側壁部とに分割し、上側壁部と下側壁部の間に上下方向に相対変位可能なスライド機構を設けた間仕切り構造であって、前記スライド機構が、上側壁部の下端に固着された角パイプ状の第一滑り金物と、下側壁部の上端に固着され第一滑り金物に対して上下方向に相対変位可能に嵌合した溝状の第二滑り金物と、第一滑り金物の下面に固着された第一滑り金物よりも幅広の合成樹脂板とを備え、当該合成樹脂板の幅方向両端縁を第二滑り金物の内側面と摺接させるように構成されていることを特徴としている。
【００１１】
請求項２に記載の発明は、請求項１に記載の間仕切り構造であって、第二滑り金物が、断面Ｌ字状を呈する二つの金物を、それらの水平板部が互に重なり合う状態に連結して構成されていることを特徴としている。
【００１２】
請求項３に記載の発明は、請求項１又は２に記載の間仕切り構造であって、スライド機構の上下にわたって可撓性を有する気密材が設けられていることを特徴としている。
【００１３】
請求項４に記載の発明は、請求項１又は２に記載の間仕切り構造であって、スライド機構の上下にわたって可撓性を有する耐火材が設けられていることを特徴としている。
【発明の効果】
【００１４】
請求項１に記載の発明によれば、スライド機構の位置が間仕切壁上端よりも上側壁部だけ低くなり、しかも、上側壁部の下端に角パイプ状の第一滑り金物を固着し、下側壁部の上端に溝状の第二滑り金物を固着するので、第一滑り金物や第二滑り金物として、角パイプ、チャンネル材やアングル材等の１本の長尺物を、或いは、数メートル程度の定尺物を直線的に並べて使用でき、これらによって施工性が向上し、間仕切り構造を精度良く構築することが容易である。
【００１５】
殊に、スライド機構（部材長方向）において、第一滑り金物と第二滑り金物の相対変位を円滑に行わせるための滑り材として、表面がフッ素樹脂で加工された金属板からなるシート状滑り材の代わりに、第一滑り金物より幅広の合成樹脂板を使用し、この合成樹脂板を第一滑り金物の下面に固着して、当該合成樹脂板の幅方向両端縁を第二滑り金物の内側面と摺接させるように構成したので、合成樹脂板の幅を適宜設定するだけで、第一滑り金物と第二滑り金物のクリアランスを確保できる他、このクリアランスにより第一滑り金物と第二滑り金物が上下方向に相対変位してもこれを吸収でき、しかも、合成樹脂板を第一滑り金物の下面に固着するので、第一滑り金物に対する合成樹脂板の固着手段として、接
着以外の方法を採用でき、例えば、タッピングビスで合成樹脂板を第一滑り金物の下面に固着するといった簡易な固着手段を採用でき、施工性を向上することができる。
【００１６】
また、第一滑り金物に対する合成樹脂板の固着をタッピングビスで行えるので、接着剤で貼着する場合のように、溶剤の乾燥気化による清浄空気の汚染を考慮しないで済み、クリーンルームの間仕切り構造として好適である。
【００１７】
尚、従来技術のように、第一滑り金物の下面の幅方向両端側に、夫々、幅狭の左右一対の合成樹脂板を並列にビス止めして、各々の合成樹脂板の一端縁を第二滑り金物の内側面と摺接させる場合には、一部のタッピングビスが抜け落ちた際、合成樹脂板が第二滑り金物の内側面で幅方向に押し動かされ、合成樹脂板の位置がずれたり、第一滑り金物の下面端部と第二滑り金物の内側面とが直接接触する虞があるが、本発明によれば、第一滑り金物より幅広の合成樹脂板を第一滑り金物の下面に固着して、合成樹脂板の幅方向両端縁を第二滑り金物の内側面と摺接させるので、たとえ一部のタッピングビスが抜け落ちても、このような不都合を回避できることになる。
【００１８】
請求項２に記載の発明によれば、第二滑り金物が、断面Ｌ字状を呈する二つの金物を、それらの水平板部が互に重なり合う状態に連結して構成されているので、上側壁部の下端に角パイプ状の第一滑り金物を固着した後、これを両側から挟む状態に断面Ｌ字状の金物を配置して、下側壁部の上端に固着するといった作業手順を採用でき、施工性を一層向上することができる。
【００１９】
請求項３に記載の発明によれば、スライド機構の上下にわたって可撓性を有する気密材が設けられているので、合成樹脂板の摩滅により発生する合成樹脂の粉末の外部飛散を防止でき、クリーンルームの間仕切り構造として好適である。
【００２０】
請求項４に記載の発明によれば、スライド機構の上下にわたって可撓性を有する耐火材が設けられているので、耐火区画を形成する間仕切り構造として好適である。
【図面の簡単な説明】
【００２１】
【図１】本発明に係る間仕切り構造の概略縦断面図である。
【図２】要部の縦断面図である。
【図３】本発明の他の実施形態を示す要部の縦断面図である。
【図４】比較例を示す要部の縦断面図である。
【発明を実施するための形態】
【００２２】
図１、図２は本発明に係る間仕切り構造を示す。１は、屋根２に固定された上側壁部１Ａと、床３に固定された下側壁部１Ｂとに分割された間仕切壁であり、上側壁部１Ａと下側壁部１Ｂの間に上下方向にも相対変位可能なスライド機構４が設けられ、風圧による屋根２の上下挙動に追随するように構成されている。
【００２３】
前記スライド機構４は、上側壁部１Ａの下端に固着された角パイプ状の第一滑り金物５と、下側壁部１Ｂの上端に固着され第一滑り金物５に対して上下方向に相対変位可能に嵌合した溝状の第二滑り金物６と、第一滑り金物５の下面に固着された第一滑り金物５のよりも幅広の合成樹脂板7とを備え、当該合成樹脂板７の幅方向両端縁を第二滑り金物６の
内側面と摺接させるように構成されている。８は合成樹脂板7を第一滑り金物５の下面に
固着するタッピングビス８である。合成樹脂板7としては、第一滑り金物５の両側面と第
二滑り金物６の内側面との間にクリアランス（２ｍｍ程度）を確保しながら水平荷重を伝達し得る強度が必要であり、例えば、厚さ２ｍｍ程度のポリ四フッ化エチレン等のフッ素系樹脂板が好適に使用される。
【００２４】
上側壁部１Ａ及び下側壁部１Ｂは、夫々、水平なＣ形鋼９、１０と垂直な間柱用のＣ形鋼（図示せず）からなる軸組みと、その両面に貼着された壁パネル１１ａ、１１ｂ、１２ａ、１２ｂとで構成されている。１３は第一滑り金物５を上側壁部１Ａの下端に固定するためのボルト・ナットであり、第一滑り金物５の底板部に形成した貫通孔から回転操作される。第二滑り金物６は、断面Ｌ字状を呈する二つの金物６ａ、６ｂを、それらの水平板部が互に重なり合う状態に連結して構成されている。１４は上側に重なる水平板部に予め溶接又は接着されたナットであり、少なくとも片側の壁パネル１２ａ又は１２ｂの貼着に先立ってボルト１５をねじ込むように構成されている。なお、図２の一点鎖線に示すように上側壁部１Ａの下端に固着された水平なＣ形鋼９に対しては、上部床等から公知の丸型鋼棒による横座屈防止手段２０を設け、面外方向（図の左右方向）への座屈を防止してもよい。これによれば、より確実に上下方向にも相対変位可能なスライド機構４とすることができる。
【００２５】
尚、図示の実施形態は、工場建屋におけるクリーンルームの間仕切り構造として構築されたものであり、スライド機構４の上下にわたって可撓性を有するシート状の気密材１６が設けられている。
【００２６】
上記の構成によれば、スライド機構４の位置が間仕切壁１の上端よりも上側壁部１Ａだけ低くなり、しかも、上側壁部１Ａの下端に角パイプ状の第一滑り金物５を固着し、下側壁部１Ｂの上端に溝状の第二滑り金物６を固着するので、第一滑り金物５や第二滑り金物６として、角パイプ、チャンネル材やアングル材等の１本の長尺物を、或いは、数メートル程度の定尺物を直線的に並べて使用でき、これらによって施工性が向上し、間仕切り構造を精度良く構築することが容易である。
【００２７】
殊に、第二滑り金物６が、断面Ｌ字状を呈する二つの金物６ａ、６ｂを、それらの水平板部が互に重なり合う状態に連結して構成されているので、上側壁部１Ａの下端に角パイプ状の第一滑り金物５を固着した後、第一滑り金物５を両側から挟む状態に断面Ｌ字状の金物６ａ、６ｂを配置して、下側壁部１Ｂの上端にナット１４とボルト１５で固着するといった作業手順を採用でき、施工性を一層向上することができる。
【００２８】
また、スライド機構４において、第一滑り金物５と第二滑り金物６の相対変位（部材長方向、または上下方向）を円滑に行わせるための滑り材として、表面がフッ素樹脂で加工された金属板からなるシート状滑り材の代わりに、第一滑り金物５より幅広の合成樹脂板7を使用し、この合成樹脂板７を第一滑り金物５の下面に固着して、当該合成樹脂板７の
幅方向両端縁を第二滑り金物６の内側面と摺接させるように構成したので、合成樹脂板７の幅を適宜設定するだけで、第一滑り金物５と第二滑り金物６のクリアランスを確保できる。
【００２９】
しかも、合成樹脂板７を第一滑り金物５の下面に固着するので、第一滑り金物５に対する合成樹脂板７の固着手段としてタッピングビス８を採用することによって施工性を向上することができ、接着剤で貼着する場合のように、溶剤の乾燥気化による清浄空気の汚染も考慮しないで済み、クリーンルームの間仕切り構造として好適である。
【００３０】
図３は、本発明の他の実施形態を示す。この実施形態は、耐火区画を形成する間仕切り構造を構築したものであり、スライド機構４の上下にわたって可撓性を有する耐火材１７を設けた点に特徴がある。その他の構成及び作用は、図１、図２の実施形態と同じであるため、同一構成部材に同一符号を付し、説明を省略する。
【産業上の利用可能性】
【００３１】
本発明の間仕切り構造は、上述した気密材１６や耐火材１７を省略して実施することができ、クリーンルームの間仕切り構造や耐火区画形成用間仕切り構造のように、気密性や耐火性を要求されない一般的な間仕切り構造にも利用できる。
以上に本発明を図示した実施例に基づいて説明したが、もとより本発明の要旨は図示した実施例に限定されるものではない。
【符号の説明】
【００３２】
１  間仕切壁
１Ａ  上側壁部
１Ｂ  下側壁部
２  屋根
３  床
４  スライド機構
５  第一滑り金物
６  第二滑り金物
６ａ、６ｂ  断面Ｌ字状の金物
７  合成樹脂板
７ａ  シート状滑り材
８  タッピングビス
９、１０  Ｃ形鋼
１１ａ、１１ｂ、１２ａ、１２ｂ  壁パネル
１３  ボルト・ナット
１４  ナット
１５  ボルト
１６  気密材
１７  耐火材
２０  横座屈防止手段
ａ  貫通孔
【図１】
0005426350.tif 000002
【図２】
0005426350.tif 000003
【図３】
0005426350.tif 000004
【図４】
0005426350.tif 000005